(57)【要約】【課題】本発明は、レーザーポインタにおいて、専用スイッチを設けることなく、簡単に、光投射モードを切替可能とすることを目的としている。【解決手段】本発明は、上記課題を解決するため、半導体レーザーダイオードと、複数のレーザ光投射モードと、前記レーザーダイオードを内臓するケース体と、前記レーザダイオードを制御する制御回路と、レーザ投射動作用メインスイッチと、加速度センサとを有し、前記加速度センサの検出値に応じて、前記レーザ光投射モードを切り替えることを特徴としている。【選択図】図１
2009271485.tif 000002
【特許請求の範囲】
【請求項１】
半導体レーザーダイオードと、複数のレーザ光投射モードと、前記レーザーダイオードを内臓するケース体と、前記レーザダイオードを制御する制御回路と、レーザ投射動作用メインスイッチと、加速度センサとを有し、前記加速度センサの検出値に応じて、前記レーザ光投射モードを切り替えることを特徴とするレーザポインタ。
【請求項２】
前記複数のレーザ光投射モードは、発光色の異なるレーザー光投射であることを特徴とする請求項１項記載のレーザポインタ。
【請求項３】
前記複数のレーザ光投射モードは、投射形状の異なるレーザー光投射であることを特徴とする請求項１項記載のレーザポインタ。
【請求項４】
前記レーザ投射動作スイッチを押している間だけ、光投射モードを切り替えることを特徴とする請求項１項記載のレーザポインタ。
【請求項５】
前記加速度センサは３軸センサであることを特徴とする請求項１項記載のレーザポインタ。
【発明の詳細な説明】
【技術分野】
【０００１】本発明は、レーザポインタを、振る動作によって光投射モードを変更することが可能なレーザポインタに関する。
【背景技術】
【０００２】レーザポインタは、プロジェクタによる投射画像の所定の箇所を指し示すために、レーザ光を投射するものであるが、複数の光投射モードを有するものが知られている。
例えば、下記特許文献１には、先端にミラーが設けられた１対の圧電振動子の振動を制御することにより、点状の光をライン状の光、或いは円形の光として投射するレーザポインタが開示されている。
また、特許文献２には、屈折グリッドを回転させることで、点状の光をライン状の光、或いは円形の光として投射するレーザポインタが開示されている。【０００３】従来、このようなレーザポインタにおける、光投射モードの選択は、専用のスイッチ４０により行われる。例えば、図４（１）に示すように、レーザポインタ本体ケースの先端部がスイッチ４０を構成しており、この先端部４０を回転することにより、光投射モードを変更する。
或いは（２）に示すように、レーザポインタ本体の側面から露出したダイヤル式のスイッチ４０によって、光投射モードを変更している。
尚、図中１は半導体レーザ素子、５はレーザ駆動用バッテリ、７はレーザ光駆動用スイッチ、５０はレーザー光を示している。【０００４】
【特許文献１】特開平０７−６４０１９号
【特許文献２】特開平０８−２８６１４７号
【発明の開示】
【発明が解決しようとする課題】
【０００５】従来、レーザポインタは、プレゼンテーションの場で用いられている。
このとき、片方の手で資料を持っているため、レーザポインタを片手で操作しなければならない場合がある。このような片方の手だけしか用いることができないような状態で、レーザポインタの光投射モードを変更するのは困難であった。【０００６】また、レーザーポインタの本体ケースからダイヤル式のスイッチが露出するような形態は、見栄えがいいものではなく、デザイン性を損ねるものとなっていた。【０００７】本発明は、レーザーポインタにおいて、必要に応じてレーザポインタを所定以上の速さで振る動作を行うことで、簡単に光投射モードを切替え可能とすることを目的としている。
【課題を解決するための手段】
【０００８】前記目的を達成するため、本発明に係るレーザポインタは、半導体レーザーダイオードと、複数のレーザ光投射モードと、前記レーザーダイオードを内臓するケース体と、前記レーザダイオードを制御する制御回路と、レーザ投射動作用メインスイッチと、加速度センサとを有し、前記加速度センサの検出値に応じて、前記レーザ光投射モードを切り替えることを特徴とするものである。
【発明の効果】
【０００９】本発明は、レーザポインタにおいて、赤色、緑色、或いは青色といった投射光の色のモードと、点、直線、円といった投射光の形状のモードなどを、利用者が簡単に変更可能とするものであり、また例えば、使用途中に、必要な輝度が減少したような場合に、予備バッテリでの駆動モードに切り替えることによって、レーザポインタの使用の継続を可能とするものである。
【発明を実施するための最良の形態】
【００１０】以下、本発明を実施するための最良の形態について、図面を参照して詳細に説明する。
【実施例】
【００１１】以下、図に沿って本発明の一実施例を説明する。
図１は本発明の一実施例を示す回路ブロック図である。
１は赤色、青色、及び緑色の光を夫々出力する複数の半導体レーザダイオード、２は半導体受光素子、３は夫々のレーザダイオード１を駆動するための複数のトランジスタ、４はレーザ光出力を制御するためのレーザポインタ制御回路、５はバッテリ、６は加速度センサおよびその制御回路、７は投射動作を行うためのメインスイッチ、８はレーザダイオードの動作状態を表示するインジケータである。【００１２】加速度センサ６は、３軸加速度センサを用いていおり、所定の値以上の加速度を検出した場合、レーザポインタ制御回路４に発光色切替えのための信号を出力する。
レーザポインタ制御回路４は、この加速度センサ６からの出力があった場合、順次、発光駆動するレーザダイオード１を切替える。
具体的には、赤色、青色、緑色のレーザダイオード１が発光動作するように、レーザ駆動トランジスタ３のオン状態を切替える。【００１３】レーザダイオード１が発光すると、受光素子２によりレーザダイオード１の光出力に比例した電流が流れ、この電流を電圧に変換して、光出力が一定になるように、トランジスタ３がフィードバック制御される。
尚、発光色によって、光出力は異なるため、各発光色に応じて、フィードバック制御の基準値は設定されている。【００１４】インジケータ８は発光ダイオードで構成される。
受光素子からの出力が得られた場合、インジケータ８は発光される。
尚、インジケータ８を種類の異なる発光素子で構成し、例えば、動作しているレーザダイオードの発光色に応じて、各色の発光素子を点灯してもよい。【００１５】図２に、第２の実施例を示す。
第２の実施例では、従来用いられている、先端にミラーを配置した１対の圧電振動素子からなる光屈折装置９、及びこの光屈折装置９を制御してレーザダイオード１の投射光形状を直線、円、或いは三角形状とする、投射形状制御回路１０を有し、加速度センサ６は、この投射形状制御回路１０に接続されている。
また、レーザダイオード１は、上述の実施例１とは異なり、赤色、或いは緑色の単色光のみ出力する単体のレーザダイオードで構成されている。尚、その他の実施例１と同じ構成部品には同一の番号を付している。【００１６】加速度センサ６が所定値以上の加速度を検出すると、投射形状制御回路１０に、投射光形状変更用の信号を出力する。
この信号によって、投射形状制御回路１０は、順次、投射形状を変更するように、光屈折装置９を制御する。【００１７】図３（１）及び（２）に本実施例のレーザポインタの外形を示す。
図３（１）は上面図であり、（２）は正面図である。
１１はレーザポインタのケース本体、１２は上述のバッテリの充電用ＵＳＢ端子を保護するための保護カバー、１３は投射レンズである。
レーザ光源駆動用のメインスイッチ７は押しボタン式のスイッチであり、通常は、電源がオフの状態で、前述したバッテリは、レーザポインタ制御回路と切離されている。
スイッチ７を押した場合、バッテリはレーザポインタ制御回路に接続され、レーザ光がレーザ光投射開口に設けられた投射レンズ１３を介して出力される。
スイッチ７を押した状態で、ケース本体１１を強く上下に振ると、前述した加速度センサが所定値以上の加速度を検出して、光投射モードの切替え用信号を出力する。
この光投射モード切替用信号によって、上述の第１の実施例装置では、出力光の色が、緑色、青色、赤色と順次切り替わる。
また、上述の第２の実施例では、投射光の形状が、点、直線、円、三角と順次切り替わる。【００１８】本発明は、上述の実施例に限定されるものではなく、例えば、回路ブロックの構成、スイッチなどは異なるものであってもよい。
また、本体ケースの外形は、上述の実施例に限定されない。【００１９】尚、上述の実施例では、加速度センサは３軸加速度センサを用いている。
これは、色々な持ち方、センサの種々の状態にも対応できることを目的としたものである。
しかしながら、通常は、メインスイッチを上にして、ほぼ水平にした状態で利用することを考えると、１軸加速度センサを用いてもよい。
また、加速度センサは、所定値以上の加速度の検出のみ行うのではなく、例えば、本体ケースを振る動作に応じて、検出されるセンサ信号のパターンに応じて、異なる出力を行ってもよい。
この場合、例えば、上述の第２の実施例において、横に直線的に振った場合は、直線形状の光投射用信号を出力し、円形に振った場合は、円形状の光投射用信号を出力し、三角に振った場合は、三角形状の光投射用信号を出力する。
尚、通常の点状の光投射を行いたい場合は、スイッチ７をオフとして、再度スイッチを押す。【００２０】また、その他の実施例として、電力が低下して必要な輝度が得られなくなった場合のために補助バッテリを搭載したレーザポインタに本発明を利用してもよい。
プレゼンテーションの最中に光出力が低下した場合、本体ケースを強く振ると、加速度センサが補助バッテリ接続用信号を出力し、補助バッテリがレーザポインタ制御回路に接続され、一定の間、光出力が回復する。
このように構成することにより、プレゼンテーションの最中に、レーザポインタが、いきなり使用不能となることを回避することが可能となる。【００２１】更に、レーザポインタを動作させていない間は、加速度センサにバッテリを接続するモードを設け、またに小さな表示部を設けることによって、加速度センサの所定出力パターンをカウントして表示し、歩数計としての機能を追加してもよい。
【産業上の利用可能性】
【００２２】本発明は、レーザポインタの本体ケースを振る動作だけで、光投射モードを切替えることが可能となり、レーザポインタの利便性を向上させることが可能となる。
【図面の簡単な説明】
【００２３】
【図１】図１は、本発明の第１実施例に係る回路構成を示すブロック図である。
【図２】図２は、本発明の第２実施例に係る回路構成を示すブロック図である。
【図３】図３（１）、（２）は、本発明の実施例の形態に係る構成を示す上面図、及び正面図である。
【図４】図４（１）は、従来の光投射切替えを、本体の先端部を回転させることによって行う例を示す斜視図  図４（２）は、従来の光投射切替えを、本体の側面に設けたダイヤルを回転させることによって行う例を示す断面図である。
【符号の説明】
【００２４】１：レーザダイオード
４：レーザポインタ制御回路
６：加速度センサ
７：スイッチ
【図１】
2009271485.tif 000003
【図２】
2009271485.tif 000004
【図３】
2009271485.tif 000005
【図４】
2009271485.tif 000006